(57)【要約】【課題】  医師と患者とがそれぞれのニーズにあった画像を参照し、医師にとっては説明に便利な情報を表示でき、患者にとっても苦痛なく理解しやすい表示が得られる説明システムを提供する。【解決手段】  患者毎の医用画像データを蓄積するメモリ１１１と、前記医用画像データに基づいて表示手段に表示制御する表示制御手段１１２とを備え、表示手段に表示された前記医用画像データの表示内容を参照して病状を医師が患者に説明するための説明システムであって、前記表示手段は、患者用モニタ１３と医師用モニタ１２とからなり、表示制御手段１１２は、医師用モニタ１２の表示画像と、患者モニタ１３への表示画像とを異ならせる制御を行う手段である。【選択図】      図１
2007068816.tif 000002
【特許請求の範囲】
【請求項１】
患者毎の医用画像データを蓄積するメモリと、前記医用画像データに基づいて表示手段に表示制御する表示制御手段とを備え、前記表示手段に表示された前記医用画像データの表示内容を参照して病状を医師が患者に説明するための説明システムであって、
前記表示手段は、患者用モニタと医師用モニタとからなり、前記表示制御手段は、前記医師用モニタの表示画像と、前記患者モニタへの表示画像とを異ならせる制御を行うことを特徴とする説明システム。
【請求項２】
前記表示制御手段は、前記医師用モニタの表示画像の一部を患者モニタに表示させることによって、前記医師用モニタの表示画像と、前記患者モニタへの表示画像とを異ならせることを特徴とする請求項１に記載の説明システム。
【請求項３】
前記表示画像は複数のウィンドウ表示によって構成され、前記表示制御手段は、医師用モニタ上で所定のウィンドウを選択した際に、その選択されたウィンドウを患者用モニタに表示することを特徴とする請求項２に記載の説明システム。
【請求項４】
前記表示制御手段は、前記選択されたウィンドウを医師用モニタ上で特定して表示することを特徴とする請求項３に記載の説明システム。
【請求項５】
前記表示制御手段は、前記医師用モニタと前記患者用モニタとにおいて表示される同一のウィンドウ内に表示されたポインタを関連させて表示することを特徴とする請求項４に記載の説明システム。
【請求項６】
医師用モニタ及び患者用モニタの２つの表示手段を有し、
患者毎の医用画像データと、少なくとも前記医用画像データの表示順序を特定した患者毎の説明用シナリオデータとを記録したメモリと、
前記説明用シナリオデータに基づいて、前記医用画像データを前記表示順序に従って患者用モニタに順送り表示させると共に、前記説明用シナリオデータにおける全ての医用画像データを医師用モニタに表示させる表示制御手段とを備えたことを特徴とする説明システム。
【請求項７】
前記表示画像は複数のウィンドウ表示によって構成され、前記表示制御手段は、前記説明用シナリオデータに基づく表示順序毎に、前記患者用モニタに表示されているウィンドウを特定する表示を医師用モニタ上の対応するウィンドウに行わせることを特徴とする請求項６に記載の説明システム。
【請求項８】
前記表示制御手段は、前記医師用モニタと前記患者用モニタとにおいて表示される同一のウィンドウ内に表示されたポインタを関連させて表示することを特徴とする請求項７に記載の説明システム。
【発明の詳細な説明】
【技術分野】
【０００１】
本発明は、患者の医用画像データをモニタに表示して、医師が当該患者に対して病状などの説明を行う説明システムに関するものである。
【背景技術】
【０００２】
従来より、病院内で検査を行った患者に対して、その検査の結果について担当医が説明を行ったり、過去に行った複数の検査について担当医が説明することがある。
【０００３】
このような説明は例えば、
(1)遠隔医療や在宅医療における診療・病院側と自宅側との検査・診断・経過などの患者・家族への説明。
(2)診療科や手術前の治療・検査・経過などの患者・家族への説明。
(3)検診結果の面接において、医師などから検診者への説明。
以上のような場合に行われる。
【０００４】
このような場合には、担当医が操作する医師用端末に接続された医師用モニタに前記検査に係る医用画像等を表示し、それを担当医及び患者が見ながら説明が行われていた。
【０００５】
一方、医療の技術分野ではないが、画像情報の表示を利用して説明者が被説明者に説明を行う際、説明者側の表示手段（モニタ）に表示された内容の一部を被説明者側の表示手段（モニタ）に表示させる技術が特許文献１によって開示されている。
【０００６】
【特許文献１】特開平４−４０４９１号公報
【発明の開示】
【発明が解決しようとする課題】
【０００７】
しかしながら、医療現場では、同一の画面を見て担当医が患者に対して説明しているため、説明者（医師）は、統合的かつ多角的に情報を得て説明したいが、そのような情報を被説明者（患者）にも閲覧させて説明するのは被説明者（患者）にとって苦痛で、説明も要領を得ないものとなってしまうという問題があった。
【０００８】
具体的には、説明者（医師）にとって医師用端末の表示手段（モニタ）に表示される情報は、被説明者に説明するための画像情報や文字情報が多く、かつ詳しい内容が表示されることが望ましいが、その際、当該情報に被説明者（患者）に告知不要な内容がある場合には、その情報を共有していることから、被説明者（患者）に閲覧させてもいい画像の表示だけを予め用意しておいて、説明者（医師）の判断によって説明中に画面を参照させたり、表示手段（モニタ）を用いた説明自体を避けるなどしていた。
【０００９】
また、特許文献１に記載の技術は、説明者側のモニタに表示された複数の情報のうち、一部を被説明者側のモニタに表示するようにしているが、どの情報が被説明者側で表示されているかを説明者側でリアルタイムに把握できないので、特に、プレゼンテーションの場では、説明の要領をよくしなければならない必要があった。
【００１０】
本発明は、以上の問題点に鑑みてなされたものであって、その目的は、医師と患者とがそれぞれのニーズにあった画像を参照し、医師にとっては効率のよい説明を行うことができ、患者にとっても苦痛なく理解しやすい説明が行われる説明システムを提供することにある。
【課題を解決するための手段】
【００１１】
上記課題を解決するための、請求項１記載の発明に係る説明システムは、患者毎の医用画像データを蓄積するメモリと、前記医用画像データに基づいて表示手段に表示制御する表示制御手段とを備え、前記表示手段に表示された前記医用画像データの表示内容を参照して病状を医師が患者に説明するための説明システムであって、前記表示手段は、患者用モニタと医師用モニタとからなり、前記表示制御手段は、前記医師用モニタの表示画像と、前記患者モニタへの表示画像とを異ならせる制御を行うことを特徴とする。
【００１２】
かかる構成とすることにより、２つのモニタを用いて、医師向けの画像と患者向けの画像とを異ならせて表示させるので、医師と患者とがそれぞれのニーズにあった画像を参照し、医師にとっては説明に便利な情報を表示でき、患者にとっても苦痛なく理解しやすい表示が得られる。
【００１３】
上記課題を解決するための、請求項２記載の発明に係る説明システムは、請求項１に記載の説明システムにおいて、前記表示制御手段は、前記医師用モニタの表示画像の一部を患者モニタに表示させることによって、前記医師用モニタの表示画像と、前記患者モニタへの表示画像とを異ならせることを特徴とする。
【００１４】
上記課題を解決するための、請求項３記載の発明に係る説明システムは、請求項２に記載の説明システムにおいて、前記表示画像は複数のウィンドウ表示によって構成され、前記表示制御手段は、医師用モニタ上で所定のウィンドウを選択した際に、その選択されたウィンドウを患者用モニタに表示することを特徴とする。
【００１５】
上記課題を解決するための、請求項４記載の発明に係る説明システムは、請求項３に記載の説明システムにおいて、前記表示制御手段は、前記選択されたウィンドウを医師用モニタ上で特定して表示することを特徴とする。
【００１６】
上記課題を解決するための、請求項５記載の発明に係る説明システムは、請求項４に記載の説明システムにおいて、前記表示制御手段は、前記医師用モニタと前記患者用モニタとにおいて表示される同一のウィンドウ内に表示されたポインタを関連させて表示することを特徴とする。
【００１７】
上記課題を解決するための、請求項６記載の発明に係る説明システムは、医師用モニタ及び患者用モニタの２つの表示手段を有し、患者毎の医用画像データと、少なくとも前記医用画像データの表示順序を特定した患者毎の説明用シナリオデータとを記録したメモリと、前記説明用シナリオデータに基づいて、前記医用画像データを前記表示順序に従って患者用モニタに順送り表示させると共に、前記説明用シナリオデータにおける全ての医用画像データを医師用モニタに表示させる表示制御手段とを備えたことを特徴とする。
【００１８】
かかる構成とすることにより、説明の内容（順序及び説明者側と被説明者側のそれぞれに表示されるように選択された情報）を纏めた説明用シナリオデータを予め作成し、それに従って説明者（医師）は被説明者（患者）に対して説明するので、医師にとっては説明に便利な情報を表示でき、患者にとっても苦痛なく理解しやすい表示が得られる。
【００１９】
上記課題を解決するための、請求項７記載の発明に係る説明システムは、請求項７に記載の説明システムにおいて、前記表示画像は複数のウィンドウ表示によって構成され、前記表示制御手段は、前記説明用シナリオデータに基づく表示順序毎に、前記患者用モニタに表示されているウィンドウを特定する表示を医師用モニタ上の対応するウィンドウに行わせることを特徴とする。
【００２０】
上記課題を解決するための、請求項８記載の発明に係る説明システムは、請求項７に記載の説明システムにおいて、前記表示制御手段は、前記医師用モニタと前記患者用モニタとにおいて表示される同一のウィンドウ内に表示されたポインタを関連させて表示することを特徴とする。
【発明の効果】
【００２１】
本発明によれば、２つのモニタを用いて、医師向けの画像と患者向けの画像とを異ならせて表示させるので、医師と患者とがそれぞれのニーズにあった画像を参照し、医師にとっては説明に便利な情報を表示でき、患者にとっても苦痛なく理解しやすい表示が得られる。
【００２２】
また、説明の内容（順序及び説明者側と被説明者側のそれぞれに表示されるように選択された情報）を纏めた説明用シナリオデータを予め作成し、それに従って説明者（医師）は被説明者（患者）に対して説明するので、医師にとっては説明に便利な情報を表示でき、患者にとっても苦痛なく理解しやすい表示が得られる。
【発明を実施するための最良の形態】
【００２３】
以下、本発明の実施形態につき、図面を参照して説明する。なお、以下の説明において、略同一の機能及び構成を有する構成要素については、同一符号を付し、重複説明は必要な場合にのみ行う。
【００２４】
図１は、本発明に係る説明システムの一実施形態における構成を示すブロック図である。図１は病院内に設けられた説明システムを示しており、実質的に、患者情報や各患者の検査画像を蓄積したデータベースを保有するＲＩＳ（Ｒａｄｉｏｌｏｇｙ  Ｉｎｆｏｒｍａｔｉｏｎ  Ｓｙｓｔｅｍ）に対してネットワーク接続され、表示手段として医師用モニタ１２と患者用モニタ１３とを備えた医師用端末１１によって構成される。
【００２５】
図１に示すように、医師用端末１１は、ネットワーク１０に対して、患者情報の取得や画像の受信などを行う通信手段１１３と、マウスやキーボードなどの入力手段１１４と、通信手段１１３によってＲＩＳから取得した情報（例えば、医用画像データ）を蓄積するためのメモリ１１１と、そのメモリ１１１に蓄積された情報を選択して医師用モニタ１２及び患者用モニタ１３のそれぞれに対して表示させるための表示制御手段１１２と、通信手段１１３によって得られた情報をメモリ１１１に蓄積し、入力手段１１４に入力された情報を受け付け、その受け付けた情報に基づいて表示制御手段１１２にメモリ１１１からの各種情報の読み出し及び各表示手段（医師用モニタ１２及び患者用モニタ１３）への表示実行を指示する制御手段１１０とを有している。
【００２６】
次に、本発明に係る説明システムの一実施形態における流れについて、図２を参照して説明する。図２に示すように、まず、説明者である医師は、被説明者である患者に対して当該患者の検査結果などの説明を行うにあたって、ネットワーク１０を介してＲＩＳから当該患者の医用画像リストの読み込みを行う（ステップＳ１）。具体的には、当該医師が入力手段１１４を用いて当該患者のＩＤなど当人を特定する情報を入力し、その情報を受け付けた制御手段１１０が通信手段１１３を介してネットワーク接続されたＲＩＳから、検査結果としての画像データのリストを取得する。
【００２７】
医用画像リスト（検査オーダ）は、図３に示すような画面として医師モニタ１２に表示される。説明者である医師は、説明に用いたい医用画像データの表示１００１を、入力手段１１４を用いて（例えば、入力手段１１４としてのマウスでクリック操作するなどして）選択する（ステップＳ２）。
【００２８】
選択された医用画像データは、制御手段１１０が、通信手段１１３を介してネットワーク接続されたＲＩＳから取得される（ステップＳ３）。なお、前記画像データのリストから他の医用画像データをさらに読み込みたい（説明に複数の医用画像データを用いたい）場合には、上記ステップＳ１〜ステップＳ３までを読み込み終了と判断するまで行う（ステップＳ４）。
【００２９】
このとき、読み込んだ医用画像は、同時に読み込んだ医用画像を一纏めにした形（特定の同じフォルダに保存するなどして）で制御手段１１０によってメモリ１１１に保存される。
【００３０】
医用画像の読み込みが終了した（ステップＳ４−Ｙｅｓ）後、制御手段１１０は、読み込んだ医用画像をメモリ１１０から読み出し、医師用モニタ１２に表示するように表示制御手段１１２に指示する。なお、この表示制御手段１１２は、メモリ１１１から特定の医用画像を取り込んで表示手段（医師用モニタ１２及び患者用モニタ１３）に表示するように制御手段１１０から指示されるが、メモリ１１１から読み出した医用画像を医師モニタ１２及び患者用モニタ１３にどのように表示するかは表示制御手段１１２によって判断される。
【００３１】
例えば、最初にメモリ１１１から複数の医用画像を読み込んで医師モニタ１２に表示するように制御手段１１０に指示されたときには、表示制御手段１１２は、メモリ１１１から読み込んだ全ての医用画像データを医師用モニタ１２に表示する。
【００３２】
なお、医師用モニタ１２に表示される複数の医用画像データは、図４（ａ）に示すように、ウィンドウの態様で重畳表示される（ステップＳ５）。
【００３３】
ここで、「ウィンドウ」とは、パソコンと同様に、表示制御手段１１２によって操作画面内にそれぞれ独立した小さな画面を用意して、その中に画像や文書を表示する機能を指し、本実施形態では、そのような機能によって画面上に表示された矩形状の表示領域を指す。また、ウィンドウのデザインや機能はＯＳ（Ｏｐｅｒａｔｉｏｎ  Ｓｙｓｔｅｍ）やアプリケーションソフトによって異なるが、一般的にはタイトルバーが上部に形成され、サイズ調整用のボタンやウィンドウを閉じるボタンなどがついている。個々のウィンドウはユーザが自由に移動させたり、サイズを変更したり、重ねて表示させたりすることができる。そして、このタイトルバーの明度表示などが、本実施形態における特定表示であって、図４（ａ）に示す医用画像データの特定表示部として表示される。
【００３４】
次に、説明者である医師は、医師用モニタ１２に表示された複数の医用画像情報（ウィンドウを含む）のうちの１つに対して、入力手段１１４を用いて、ポインタを医師モニタ１２の画面上で動かし、マウスでクリック操作するなどして選択する（ステップＳ６−Ｙｅｓ）と、それを受け付けた制御手段１１０が、選択された医用画像情報をメモリ１１０から読み出し、表示制御手段１１２に対して患者用モニタ１３に表示するように指示する（ステップＳ７）。
【００３５】
なお、前述したように、表示制御手段１１２は、制御手段１１０から指示される内容によって、表示手段（医師用モニタ１２及び患者用モニタ１３）のどちらに、指定された医用画像データをどのように表示するかを判断する機能を有している。例えば、制御手段１１０から表示制御手段１１２への表示指示内容が「医師モニタ１２」宛のものであった場合には、表示制御手段１１２は、医師モニタ１２に対して指定された医用画像データを重畳表示し、制御手段１１０から表示制御手段１１２への表示指示内容が「患者モニタ１２」宛のものであった場合には、表示制御手段１１２は、患者モニタ１２に対して指定された医用画像データを表示すると共に、医師用モニタ１２上の当該医用画像データのタイトルバーを明るい表示にするなどして、医師用モニタ１２の画面上に表示された他の医用画像データと視覚的に区別できるように変更表示する（ステップＳ８）。
【００３６】
ここで、医師用モニタ１２に複数の医用画像データがウィンドウ表示され、そのうちの一部の医用画像データが患者用モニタ１３に表示された状態において、それぞれの表示手段に重複表示された医用画像データウィンドウ２００１，２００２に対して入力手段１１４から入力された指示によって双方の画面上で同様の画像処理が表示制御手段１１２によって行われるものとする。例えば、医師用モニタ１２上に表示された医用画像データウィンドウ２００１のタイトルバー２００１ａに設けられた「ウィンドウを閉じるボタン２００１ｂ（図４（ａ）参照）」を、入力手段１１４を用いて選択（クリック）すると、医師用モニタ１２上のその医用画像データウィンドウ２００１が閉じられると共に患者用モニタ１３上の該当する医用画像データウィンドウ２００１（図４（ｂ）参照）も閉じられる。また、説明を明確に行うために、医師が入力手段１１４により医師用モニタ１２上でポインタを動かして、画像を指し示す。医師用モニタ１２上に表示された医用画像データウィンドウ２００２のウィンドウ表示範囲内でのポインタの動き（図４（ａ）参照）は、患者用モニタ１３上に表示された該当する医用画像データウィンドウ２００２のウィンドウ表示範囲内で同じように表示される（図４（ｂ）参照）。一般的には、医師用モニタ１２で、医師のみ用と医師と患者用の２通りと考えられるので、少なくとも、表示制御手段１１２はその区別ができればよい。
【００３７】
その後、これで説明が終了であれば（ステップＳ９−Ｙｅｓ）、終了し、引き続き説明が行われる場合には、上記ステップＳ６〜ステップＳ８の動作が繰り返される。
【００３８】
（他の実施形態）
図５は、本発明に係る説明システムの他の実施形態における構成を示すブロック図である。図５は病院内に設けられた説明システムを示しており、実質的に、患者情報や各患者の検査画像を蓄積したデータベースを保有するＲＩＳに対してネットワーク接続され、表示手段として医師用モニタ１２と患者用モニタ１３とを備えた医師用端末１１によって構成される。
【００３９】
図５に示すように、医師用端末１１は、ネットワーク１０に対して、患者情報の取得や画像の受信などを行う通信手段１１３と、マウスやキーボードなどの入力手段１１４と、通信手段１１３によってＲＩＳから取得した情報（例えば、医用画像データ）及び説明用シナリオデータを蓄積するためのメモリ１１１と、そのメモリ１１１に蓄積された情報を選択して医師用モニタ１２及び患者用モニタ１３のそれぞれに対して表示させるための表示制御手段１１２と、通信手段１１３によって得られた情報をメモリ１１１に蓄積し、入力手段１１４に入力された情報を受け付け、その受け付けた情報に基づいて表示制御手段１１２にメモリ１１１からの各種情報の読み出し及び各表示手段（医師用モニタ１２及び患者用モニタ１３）への表示実行を指示する制御手段１１０とを有している。従って、本実施形態と前述した実施形態との構成上の違いは、メモリ１１１にシナリオデータが予め蓄積されていることである。
【００４０】
このシナリオデータは、図６に示すように、説明者である医師が患者に対して説明を行う前に、医師用端末１１で「説明用シナリオデータ作成」のプロセスとして作成される情報である。具体的には、「説明の順序」と、その順序に応じた医師用の「コメント」と、そのコメントに応じた患者用モニタ１３上に表示予定の「医用画像データ」とが関連づけられたテーブルである。ただし、患者用モニタに表示予定の画像データは、医師用モニタに表示する画像の一部である。従って、医師用モニタに表示される「医用画像データ」は、「説明用シナリオデータ」に含まれる全ての医用画像データが該当する。なお、前記「コメント」は「医用画像データ」に対応して必ず関連づけられなければならない情報ではなく、少なくとも、どのような順序で「医用画像データ」を患者用モニタ１３に表示するのかが「説明用シナリオデータ」として特定されていればよい。
【００４１】
例えば、「脳梗塞で倒れ、病院に搬送された患者（患者ＩＤ：０１２３４５）」について、発病後５日経過し、８日後のＭＲＩの検査を行うために、事前に当該患者及びその家族に説明するためのシナリオとして作成されたシナリオデータは、図６に示すような説明順序１〜４から構成される。具体的に、このシナリオデータは、既に検査済みの検査画像を用いる説明順序１〜３と本題となるＭＲＩ検査の説明画像を用いる説明順序４とから構成される。
【００４２】
「説明順序１」では、来院時、初めて撮影したＣＴ頭部画像として、「ＰＡＣＳ−ＤＩＣＯＭＶＩＥＷ−０１２３４５−ＣＴ−２００５０８０１−シリーズ００１」という画像データが関連づけられ、経時的変化（２４時間後）の説明のためのＭＲＩ画像として、「ＰＡＣＳ−ＤＩＣＯＭＶＩＥＷ−０１２３４５−ＣＴ−２００５０８０２−シリーズ００１」という画像データが関連づけられ、このときの検査オーダとして、「ＲＩＳ−撮影室業務−検査オーダ−０１２３４５」という画像データを関連づけられている。これら３つの画像データが患者モニタ１３にウィンドウ表示されることとなる。
【００４３】
なお、上記「ＰＡＣＳ−ＤＩＣＯＭＶＩＥＷ−０１２３４５−ＣＴ−２００５０８０１−シリーズ００１」は、患者用モニタ１３に表示される際のウィンドウのタイトルである。また、上記「ＰＡＣＳ−ＤＩＣＯＭＶＩＥＷ−０１２３４５−ＣＴ−２００５０８０１−シリーズ００１」は、ＰＡＣＳを通して保存されている当該患者（患者ＩＤ：０１２３４５）の２００５年８月１日に撮影されたＣＴ画像であることを意味し、上記「ＰＡＣＳ−ＤＩＣＯＭＶＩＥＷ−０１２３４５−ＭＲ−２００５０８０２−シリーズ００１」は、ＰＡＣＳを通して保存されている当該患者（患者ＩＤ：０１２３４５）の２００５年８月２日に撮影されたＭＲＩ画像であることを意味し、上記「ＲＩＳ−撮影室業務−検査オーダ−０１２３４５」は、ＲＩＳを通して「撮影室業務」及び「検査オーダ」のカテゴリー（例えばファイルフォルダなど）に格納されている当該患者（患者ＩＤ：０１２３４５）の検査オーダデータを意味する。
【００４４】
「説明順序２」では、「説明順序１」と同様、来院時、初めて撮影したＣＴ頭部画像として、「ＰＡＣＳ−ＤＩＣＯＭＶＩＥＷ−０１２３４５−ＣＴ−２００５０８０１−シリーズ００１」という画像データが関連づけられ、経時的変化（２４時間後）の説明のためのＭＲＩ画像として、「ＰＡＣＳ−ＤＩＣＯＭＶＩＥＷ−０１２３４５−ＣＴ−２００５０８０１−シリーズ００１」という画像データが関連づけられ、１日経過後の病状の説明のために上記検査時（来院時及び２４時間後）の読影レポートとして、「ＲＥＰ−レポート所見−ＣＴ−２００５０８０１−０１２３４５」と「ＲＥＰ−レポート所見−ＭＲ−２００５０８０２−０１２３４５」とが関連づけられている。この説明順序２では、以上の４つのデータが患者モニタ１３にウィンドウ表示されることとなる。
【００４５】
「説明順序３」では、現在までの患者の経過説明をするため、他の患者のデータと比較して説明するために、２４時間の時差で検査撮影された画像として、「ＰＡＣＳ−ＤＩＣＯＭＶＩＥＷ−０９９９９９−ＣＴ−２００３１２０１−シリーズ００２」と「ＰＡＣＳ−ＤＩＣＯＭＶＩＥＷ−０９９９９９−ＭＲ−２００３１２０２−シリーズ００１」とが関連づけられている。この説明順序３では、以上の２つのデータが患者モニタ１３にウィンドウ表示されることとなる。なお、上記「ＰＡＣＳ−ＤＩＣＯＭＶＩＥＷ−０９９９９９−ＣＴ−２００３１２０１−シリーズ００２」は、ＰＡＣＳを通して保存されている、「患者ＩＤ：０９９９９９」の患者の２００３年１２月１日に撮影されたＣＴ画像であることを意味し、上記「ＰＡＣＳ−ＤＩＣＯＭＶＩＥＷ−０９９９９９−ＭＲ−２００３１２０２−シリーズ００１」は、ＰＡＣＳを通して保存されている、「患者ＩＤ：０９９９９９」の患者の２００３年１２月２日に撮影されＭＲＩ画像であることを意味する。
【００４６】
「説明順序４」では、後日行うＭＲＩ検査の説明を行うために、「ＲＩＳ−撮影室業務−検査オーダの詳細−０１２３４５」というデータが関連づけられている。
【００４７】
なお、本実施形態において、上記「ＲＩＳ−撮影室業務−検査オーダ−０１２３４５」、「ＲＥＰ−レポート所見−ＣＴ−２００５０８０１−０１２３４５」及び「ＲＩＳ−撮影室業務−検査オーダの詳細−０１２３４５」は、医師用モニタ１２及び患者用モニタ１３では、図７に示すように表示される。ここで、「ＲＩＳ−撮影室業務−検査オーダ−０１２３４５」に示されるデータと「ＲＩＳ−撮影室業務−検査オーダの詳細−０１２３４５」に示されるデータとの関係は、「ＲＩＳ−撮影室業務−検査オーダ−０１２３４５」として表示されるウィンドウの「詳細」ボタンを入力手段１１４で選択することで、「ＲＩＳ−撮影室業務−検査オーダの詳細−０１２３４５」として表示されるウィンドウが表示されるように相互に関連づけられたデータである。
【００４８】
次に、本発明に係る説明システムの他の実施形態における流れについて、図８及び図９を参照して説明する。図８は、本発明に係る説明システムの他の実施形態における全体の流れを示すフローチャートであり、図９は、本発明に係る説明システムの他の実施形態における「説明用シナリオデータ作成」のプロセスの流れを示すフローチャートである。
【００４９】
図８に示すように、まず、説明者である医師は、被説明者である患者に対して当該患者の検査結果などの説明を行うにあたって、「説明用シナリオデータ」を作成する必要があるか否かを選択する（ステップＳ１１）。これは、例えば、医師用端末１１の初期状態において、医師用モニタ１２上にメニュー画面の選択キーとして「説明用シナリオデータの作成」が表示されるように表示制御手段１１２に制御手段１１０が指示することなどによって実行される。
【００５０】
（説明用シナリオデータの作成）
説明用シナリオデータを作成すると選択した場合（Ｓ１１−Ｙｅｓ）、その入力を入力手段１１４から受け付けた制御手段１１０は、図９に示すように、まず、説明用シナリオデータを作成するためのテーブル作成モードを起動する。このテーブル作成モードは、医師用端末１１のＲＯＭ（図示せず）に記憶され、この「説明用シナリオデータの作成」プロセスを実行するプログラムである。
【００５１】
制御手段１１０は、図１０に示すようなテーブル作成モードの入力画面３００１を医師用モニタ１２に表示させるように表示制御手段１１２に指示する。このテーブル作成モードの入力画面３００１を形成する初期データはメモリ１１１に保存されている。
【００５２】
図１０に示すように、この入力画面３００１には、説明順序（図中、説明順序１〜説明順序５）に応じて、「コメント」及び「患者用画像リスト」の欄が割り当てられている。説明者である医師は、入力手段１１４を用いて、説明順序に応じたコメントを入力する（ステップＳ２３）。例えば、図１０において、医師モニタ１２上の入力画面３００１のコメント欄３００１ａ（図中、ハッチングで表示）が入力手段１１４によって選択（例えば、マウスによるクリック）されたことを制御手段１１０が受け付けると、コメント欄３００１ａに対応するコメント入力ウィンドウ３００２が表示され、このコメント入力ウィンドウ３００２内に入力手段１１４を用いて入力（例えば、キーボードによる文字入力）し、確定すると、コメント欄３００１ａにその入力した内容が転写される。
【００５３】
次に、入力したコメントに応じた医用画像データを選択する（ステップＳ２４）。これは、例えば、図１０に示すように、「説明順序」が「１」のコメントとして「前回の検査画像の全体像」などが入力されていたような場合、そのコメントに対する画像を選択するために、「患者用画像リスト」欄４００１ａ（図中、ハッチングで表示）が入力手段１１４によって選択（例えば、マウスによるクリック）されたことを制御手段１１０が受け付けると、前述の実施形態における医用画像リスト画面４００２（図３参照）をメモリ１１１から読み込む（ステップＳ２５）。具体的には、当該医師が入力手段１１４を用いて当該患者のＩＤなど当人を特定する情報を入力し、その情報を受け付けた制御手段１１０が通信手段１１３を介してネットワーク接続されたＲＩＳから、検査結果としての画像データのリストを取得する。
【００５４】
そして、この医用画像リスト画面４００２内の医用画像データの項目を入力手段１１４を用いて（例えば、入力手段１１４としてのマウスでクリック操作するなどして）選択する（ステップＳ２６）。
【００５５】
選択された医用画像データは、制御手段１１０が、通信手段１１３を介してネットワーク接続されたＲＩＳから取得され（ステップＳ２７）、「患者用画像リスト」欄４００１ａに、その選択された医用画像データが割り当てられる。なお、医用画像リスト画面４００２には「画像参照」などのボタン（図示せず）を設け、それを選択することによって当該医用画像４００３を表示するようにすると、当該画像を参照して割り当てることができる。
【００５６】
なお、前記画像データのリストから他の医用画像データをさらに読み込みたい（説明順序やコメントに対して複数の医用画像データを用いたい）場合には、上記ステップＳ２５〜ステップＳ２７までを読み込み終了と判断するまで行う（ステップＳ２８）。
【００５７】
また、説明順序に対してコメントを追加する場合には、上記ステップＳ２３〜ステップＳ２８までを読み込み終了と医師が判断するまで行う（ステップＳ２９）。
【００５８】
このようにして、「順序」と、「コメント」に関する（文字）情報と、「患者用画像リスト」（患者用モニタに表示する医用画像情報）とが関連づけられた説明用シナリオデータは、患者毎、又は説明機会毎に一纏めにした形（特定の同じフォルダに保存するなどして）で制御手段１１０によってメモリ１１１に保存される（ステップＳ３０）。
【００５９】
説明用シナリオデータの作成が終了した後、再び、説明者である医師は、被説明者である患者に対して当該患者の検査結果などの説明を行うにあたって、「説明用シナリオデータ」を作成する必要があるか否かを選択する（ステップＳ１１）。そして、「説明用シナリオデータ」を作成する必要がなく（ステップＳ１１−Ｎｏ）、患者への説明を開始する場合（ステップＳ１２−Ｙｅｓ）、医師用モニタ１２上にメニュー画面の選択キーとして、「説明内容（どの患者に対するどのような説明なのかなど）」及び「説明開始」が表示され、医師が入力手段１１４を用いてこれらを選択することにより、説明画面が開始される。
【００６０】
この説明画面の動作は、入力手段１１４による「説明内容」の選択を制御手段１１０が受け付けたときに、その「説明内容」を特定する画面（例えば、被説明者となる患者名や「説明用シナリオデータ」名を入力・選択する画面）をメモリ１１１から読み出して表示制御手段１１２に対し、医師モニタ１２に表示するように指示し、入力された情報（被説明者となる患者名や「説明用シナリオデータ」名）に基づいて、メモリ１１１に記憶された「説明用シナリオデータ」を読み出して、この情報に従って表示手段（医師用モニタ１２及び患者用モニタ１３）に表示するように表示制御手段１１２に指示する。
【００６１】
そして、表示制御手段１１２は、特定の患者の説明用シナリオデータの医師の画像データリストに基づき、医師用モニタに、患者用の画像データリストに基づき、患者用モニタ１３にそれぞれの画像データに基づく画像を表示する（ステップＳ１３）。
【００６２】
なお、前述した実施形態と同様に、表示制御手段１１２は、制御手段１１０から指示される「説明用シナリオデータ」の内容によって、表示手段（医師用モニタ１２及び患者用モニタ１３）のどちらに、指定された医用画像データをどのように表示するかを判断する機能を有している。本実施形態では、「説明用シナリオデータ」によって表示される内容が予め決定されているので、表示制御手段１１２は、「説明用シナリオデータ」の説明順序に従って、メモリ１１１から順次医用画像データを読み出し、さらに、患者用の画像データを当該「説明用シナリオデータ」に含まれている医師用の医用画像データ全てを医師モニタ１２に対して重畳表示し、患者モニタ１２に表示すると共に、患者用モニタに表示した内容と同一の医師用モニタ１２上の当該医用画像データのタイトルバーを明るい表示にするなどして、医師用モニタ１２の画面上に表示された他の医用画像データと視覚的に区別できるように、変更表示する（ステップＳ１４）。
【００６３】
ここで、本実施形態においても、医師用モニタ１２に複数の医用画像データがウィンドウ表示され、そのうちの一部の医用画像データが患者用モニタ１３に表示された状態において、それぞれの表示手段に重複表示された医用画像データウィンドウ２００１，２００２に対して入力手段１１４から入力された指示によって双方の画面上で同様の画像処理が表示制御手段１１２によって行われるものとする。例えば、医師用モニタ１２上に表示された医用画像データウィンドウ２００１のタイトルバー２００１ａに設けられた「ウィンドウを閉じるボタン２００１ｂ（図１２（ａ）参照）」を、入力手段１１４を用いて選択（クリック）すると、医師用モニタ１２上のその医用画像データウィンドウ２００１が閉じられると共に患者用モニタ１３上の該当する医用画像データウィンドウ２００１（図１２（ｂ）参照）も閉じられる。また、説明の明確に行うために、医師が入力手段１１４により医師用モニタ１２上でポインタを動かして、画像を指し示す。医師用モニタ１２上に表示された医用画像データウィンドウ２００２のウィンドウ表示範囲内でのポインタの動き（図１２（ａ）参照）は、患者用モニタ１３上に表示された該当する医用画像データウィンドウ２００２のウィンドウ表示範囲内で同じように表示される（図１２（ｂ）参照）。
【００６４】
また、図１２（ａ）に示すように、表示制御手段１１２が、表示される医用画像データに連動して、説明用シナリオデータの作成時に入力したコメント情報（図１０参照）をメモリ１１１から読み込み、コメント表示ウィンドウ２００３として医師用モニタ１２の画面に表示するようにすることで、医師がこのコメント情報を参照して説明することができる。
【００６５】
その後、これで説明が終了であれば（ステップＳ１５−Ｙｅｓ）、終了し、引き続き説明（又は説明用シナリオデータの作成）が行われる場合には、上記ステップＳ１１〜ステップＳ１４の動作が繰り返される。
【００６６】
また、本発明の他の実施形態として、患者用モニタ１３に表示されている画面の内容を縮小させた形で医師用モニタ１２に表示させるように表示制御手段１１２に機能させてもよい。このようにすることで、患者用モニタ１３には、どのような態様で医用画像データウィンドウが表示されているのかを医師用モニタ１２にて一目で確認することができる。
【００６７】
上述の各実施形態は、本発明の一例であり、本発明は上記実施形態に限定されることはない。また、この他であっても、本発明に係る技術的思想を逸脱しない範囲であれば、設計等に応じて種々の変更が可能である。
【００６８】
例えば、上記実施形態における「説明用シナリオデータ」の作成においては、患者用モニタに表示される医用画像データの表示順序及びコメントを特定し、医師用モニタに表示される医用画像データは当該「説明用シナリオデータ」に含まれる全ての医用画像データとして特定したが、患者用モニタに表示される医用画像データ及びそのコメントの表示順序だけではなく、その表示順序に応じて医師用モニタに表示される医用画像データ及びそのコメントを特定できる欄を「説明用シナリオデータ」の作成テーブルに設けてもよい。すなわち、本発明では、医師用モニタ及び患者用モニタにそれぞれどのような表示順序で医用画像データが区別表示されるかを特定できればよい。
【図面の簡単な説明】
【００６９】
【図１】本発明に係る説明システムの一実施形態における構成を示すブロック図。
【図２】本発明に係る説明システムの一実施形態における流れを示すフローチャート。
【図３】本発明に係る説明システムの一実施形態における表示画面を示す図。
【図４】本発明に係る説明システムの一実施形態における表示画面を示す図。
【図５】本発明に係る説明システムの他の実施形態における構成を示すブロック図。
【図６】本発明に係る説明システムの他の実施形態におけるシナリオデータの内容を示す図。
【図７】本発明に係る説明システムの他の実施形態における表示画面の一例を示す図。
【図８】本発明に係る説明システムの他の実施形態における流れを示すフローチャート。
【図９】本発明に係る説明システムの他の実施形態における流れを示すフローチャート。
【図１０】本発明に係る説明システムの他の実施形態における表示画面を示す図。
【図１１】本発明に係る説明システムの他の実施形態における表示画面を示す図。
【図１２】本発明に係る説明システムの他の実施形態における表示画面を示す図。
【符号の説明】
【００７０】
１１  医師用端末
１２  医師用モニタ
１３  患者用モニタ
１１０  制御手段
１１１  メモリ
１１２  表示制御手段
１１３  通信手段
１１４  入力手段
【図１】
2007068816.tif 000003
【図２】
2007068816.tif 000004
【図３】
2007068816.tif 000005
【図４】
2007068816.tif 000006
【図５】
2007068816.tif 000007
【図６】
2007068816.tif 000008
【図７】
2007068816.tif 000009
【図８】
2007068816.tif 000010
【図９】
2007068816.tif 000011
【図１０】
2007068816.tif 000012
【図１１】
2007068816.tif 000013
【図１２】
2007068816.tif 000014